(57)【要約】  微小気候制御システムは、ファン組立体と一体化された熱電システムを含む。熱電システムは、空気がファン組立体を通るときに、能動的に空気を冷却または加熱するように動作可能である。熱電システムは、熱電ヒートポンプと、徐熱サブシステムと、受熱サブシステムとを含む。ファン組立体は、調整空間から空気を引き込み、徐熱サブシステム及び受熱サブシステムのうちの１つを通った調整空気を調整空間に出し、他方を通った空気を調整空間から離れるように出すように動作可能である。このようにすると、微小気候制御システムは、さらに大きな気候制御システムがより効率的な温度設定点を維持できるようにしながら、局所的な快適性をもたらすことができる。このようにすると、全体的なエネルギーの消費を低減しつつ、同じレベルの効果的な快適性をもたらすことができる。
2019523856.tif 000002
【特許請求の範囲】
【請求項１】
微小気候制御システムであって、
ファン組立体、及び
前記ファン組立体と一体化され、空気が前記ファン組立体を通る際に前記空気を能動的に冷却または加熱するように動作可能な熱電システム
を備え、前記熱電システムは、
熱電ヒートポンプ、
徐熱サブシステム、及び
受熱サブシステム
を含み、
前記ファン組立体は、
調整空間から空気を引き込み、
前記徐熱サブシステム及び前記受熱サブシステムのうちの１つを通った調整空気を調整空間に出し、
前記徐熱サブシステム及び前記受熱サブシステムの他方を通った空気を前記調整空間から離れるように出す
ように動作可能である、微小気候制御システム。
【請求項２】
前記徐熱サブシステム及び前記受熱サブシステムのうちの少なくとも１つは、半径方向熱交換器を備える、請求項１に記載の微小気候制御システム。
【請求項３】
前記徐熱サブシステムが前記半径方向熱交換器を含み、
前記受熱サブシステムが前記半径方向熱交換器を含む
請求項２に記載の微小気候制御システム。
【請求項４】
前記熱電システムは、前記調整空間を冷却するように動作可能であり、
前記ファン組立体は、前記受熱サブシステムを通った前記調整空気を前記調整空間に出すように動作可能であり、
前記ファン組立体は、前記除熱サブシステムを通った前記空気を前記調整空間から離れるように出すように動作可能である
請求項１に記載の微小気候制御システム。
【請求項５】
前記熱電システムは、前記調整空間を加熱するように動作可能であり、
前記ファン組立体は、前記徐熱サブシステムを通った前記調整空気を前記調整空間に出すように動作可能であり、
前記ファン組立体は、前記受熱サブシステムを通った前記空気を前記調整空間から離れるように出すように動作可能である
請求項１に記載の微小気候制御システム。
【請求項６】
前記調整及び排除される気流を互いに分離して互いの気流を導く、前記徐熱サブシステム及び前記受熱サブシステムの周りに配置されたシュラウドをさらに備える、請求項１に記載の微小気候制御システム。
【請求項７】
前記シュラウドが、前記排除される気流を上方に導き、また前記調整気流を下方に導き、前記システムを天井などに水平に取り付けることができるようにする、請求項６に記載の微小気候制御システム。
【請求項８】
前記排除される空気が貯留し得る、前記天井上方の不使用の空間が存在する、請求項７に記載の微小気候制御システム。
【請求項９】
前記ファン組立体が複数のブレードを含む、請求項１に記載の微小気候制御システム。
【請求項１０】
前記ファン組立体がハウジングをさらに備え、前記ヒートポンプが前記ハウジングに含まれる、請求項９に記載の微小気候制御システム。
【請求項１１】
前記ファン組立体は、空気を引き込み、次いで前記空気を複数の回転ディスクから半径方向外側に推進するインペラとして動作する前記複数の回転ディスクを含むインペラベースのファン組立体である、請求項１に記載の微小気候制御システム。
【請求項１２】
前記複数の回転ディスクの外縁部は、前記複数の回転ディスクから半径方向外側に推進される前記空気を下向きの角度で導くように構成されている、請求項１１に記載の微小気候制御システム。
【請求項１３】
前記ファン組立体は、複数の垂直インペラと、空気入口と空気出口とを含む遠心ファン組立体であり、
前記複数の垂直インペラは、前記空気入口の周りを回転して前記空気を前記空気入口に引き込み、前記空気出口から前記空気を吹き出すよう動作可能である、請求項１に記載の微小気候制御システム。
【請求項１４】
前記熱電ヒートポンプは、
第１の開放側及び第２の開放側を画定する壁を含むサラウンド・アンド・スペーサ（ＳＡＳ）構造体と、
前記ＳＡＳ構造体内に囲まれた相互接続ボードであって、前記相互接続ボードの第１の面から前記相互接続ボードの第２の面までの１つ以上の開口部を含み、前記１つ以上の開口部が複数の熱電モジュールが前記相互接続ボードに取り付けられる位置を画定する、前記相互接続ボードと、
前記１つ以上の開口部により画定される前記位置にある前記相互接続ボードに取り付けられる前記複数の熱電モジュールであって、前記複数の熱電モジュールの各熱電モジュールが第１の側と第２の側とを有する、前記複数の熱電モジュールと、
前記複数の熱電モジュールの各熱電モジュールの前記第１の側と熱接触するホット側ヒートスプレッダと、
前記複数の熱電モジュールの各熱電モジュールの前記第２の側と熱接触するコールド側ヒートスプレッダと
を含み、
前記ホット側ヒートスプレッダの外面が前記第１の開放側で前記ＳＡＳ構造体の前記壁に機械的に接触し、前記コールド側ヒートスプレッダの外面が前記第２の開放側で前記ＳＡＳ構造体の前記壁に機械的に接触し、前記ヒートポンプに加えられる圧縮力は、前記ＳＡＳ構造体によって吸収される、請求項１に記載の前記微小気候制御システム。
【請求項１５】
前記熱電ヒートポンプは、前記ホット側ヒートスプレッダの前記外面が前記ＳＡＳ構造体の前記壁に機械的に接触し、前記コールド側ヒートスプレッダの前記外面が前記ＳＡＳ構造体の前記壁に機械的に接触する場所に配置された環境シールをさらに備える、請求項１４に記載の微小気候制御システム。
【請求項１６】
前記ＳＡＳ構造体の前記壁の厚さは、前記ホット側ヒートスプレッダと前記コールド側ヒートスプレッダとの間の熱的短絡が緩和され、一方で十分な強度をもたらし、前記ヒートポンプに適用される圧縮力の少なくとも所定の量に耐えるようにする、請求項１４に記載の微小気候制御システム。
【発明の詳細な説明】
【発明の詳細な説明】
【０００１】
［技術分野］
関連出願の相互参照
本願は、２０１６年６月２０日に出願された米国仮特許出願第６２／３５２，２８３号の利益を主張するものであり、その開示は全体が参照により本明細書に組み込まれる。
【０００２】
本開示は、概してファンに関し、より詳細には微小気候制御に関する。
［背景技術］
【０００３】
空気の温度を低下または上昇させるために室内へ及び室内から熱を汲み上げるべく使用されている従来のシステムは、いくつかの欠点を有する。特に、それらは小型では非効率的になり、それらは人のいる空間で機械部品から不快な水準の騒音を発生し、据付けが煩雑で危険でさえあり得、サージの負荷を管理する専用電源コンセントが頻繁に必要になり、ヒートポンプを提供するために有毒で環境に有害な冷却剤を頻繁に使用している。
【０００４】
これらの従来のシステムの一般的な代替は、単純に基本的なファン（例えば、天井用ファンまたは直立のファン）を使用することである。典型的なファンにより、体に備わる自然の冷却システムを高めることと、温暖な空気をファンの使用者へ送る速度を上昇させることのいずれかに由来する、快適さのレベルにおける明瞭かつ実質的に無音の改善をもたらすことができる。この効果は、単に空気の流れる量が局部的に増加することによってもたらされ、空気の温度の低下または上昇によるものではない。湿気の多い気候では、この効果は大幅に減少し、空気はいかなる追加の水蒸気をも容易に吸収することができないので、明瞭な解放感が大幅に削減される。暑く湿気の多い環境では、冷却効果をもたらそうとするとき、ファンはせいぜい気温が高く湿った空気を単にかき混ぜるだけであり、均一な不快感を確実にする。最悪の場合、ファンによりなされる機械的及び電気的作動で、移動している空気が実際に温まり、それによって、使用者に冷却による解放感をもたらすのに際して、機器の望ましい有効性を逆のものにさせる。寒く乾燥した環境では、さらに温暖な状態では冷却効果をもたらす同じ機構で、ファンから来る追加の空気の流れが空気の実際の温度の上昇を伴わず、実際には使用者がより寒くて快適ではないと感じるようになる可能性がある。
【０００５】
したがって、人のいる空間を冷却または加熱する必要性が依然として存在する。
［発明の概要］
【０００６】
微小気候制御用の冷却ファンを本明細書において提供する。いくつかの実施形態では、微小気候制御システムは、ファン組立体と、ファン組立体と一体化された熱電システムとを含む。熱電システムは、空気がファン組立体を通るときに、能動的に空気を冷却または加熱するように動作可能である。熱電システムは、熱電ヒートポンプと、徐熱サブシステムと、受熱サブシステムとを含む。ファン組立体は、調整空間から空気を引き込むように動作可能である。ファン組立体はまた、徐熱サブシステム及び受熱サブシステムのうちの１つを通った調整空気を調整空間に出し、徐熱サブシステム及び受熱サブシステムの他方を通った空気を調整空間から離れるように出すように動作可能である。このようにすると、小型のエンベロープを維持するシステムを用いて、調整空気を局所的な領域に供給することができる。微小気候制御システムは、さらに大きな気候制御システムがより効率的な温度設定点を維持できるようにしながら、局所的な快適性をもたらすことができる。このようにすると、全体的なエネルギーの消費を低減しつつ、同じレベルの効果的な快適性をもたらすことができる。
【０００７】
いくつかの実施形態では、徐熱サブシステム及び受熱サブシステムの少なくとも１つは、放射熱交換器を含む。いくつかの実施形態では、徐熱サブシステムは半径方向熱交換器を備え、受熱サブシステムは半径方向熱交換器を含む。
【０００８】
いくつかの実施形態では、熱電システムは、調整空間を冷却するように動作可能であり、ファン組立体は、受熱サブシステムを通った調整空気を調整空間に出すように動作可能であり、ファン組立体は、除熱サブシステムを通った空気を調整空間から離れるように出すように動作可能である。
【０００９】
いくつかの実施形態では、熱電システムは、調整空間を加熱するように動作可能であり、ファン組立体は、徐熱サブシステムを通った調整空気を調整空間に出すように動作可能であり、ファン組立体は、受熱サブシステムを通った空気を調整空間から離れるように出すように動作可能である。
【００１０】
いくつかの実施形態では、微小気候制御システムはまた、徐熱サブシステム及び受熱サブシステムの周りに配置されたシュラウドを含み、それは調整及び排除される気流を互いに分離して互いの気流を導く。いくつかの実施形態では、シュラウドは、排除される気流を上向きに導き、システムが天井などに水平に取り付けることができるように排除される気流を上向きに導き、調整気流を下方に導く。いくつかの実施形態では、排除される空気が貯留し得る、天井上方の不使用の空間が存在する。
【００１１】
いくつかの実施形態では、ファン組立体は、複数のブレードを含む。いくつかの実施形態では、ファン組立体はハウジングも含み、ヒートポンプはハウジング内に含まれる。
【００１２】
いくつかの実施形態では、ファン組立体は、空気を引き込み、次いで空気を複数の回転ディスクから半径方向外側に推進するインペラとして動作する複数の回転ディスクを含むインペラベースのファン組立体である。いくつかの実施形態では、複数の回転ディスクの外縁部は、複数の回転ディスクから半径方向外側に推進される空気を下向きの角度で導くように構成される。
【００１３】
いくつかの実施形態では、ファン組立体は、複数の垂直インペラ、空気入口、及び空気出口を含む遠心ファン組立体である。垂直インペラは、空気入口の周りを回転して空気を空気入口に引き込み、空気出口から空気を吹き出すように作動し得る。
【００１４】
いくつかの実施形態では、熱電ヒートポンプは、第１の開放側及び第２の開放側を画定する壁を含むサラウンド・アンド・スペーサ（ＳＡＳ）構造体と、ＳＡＳ構造体内に囲まれた相互接続ボードであって、相互接続ボードの第１の面から相互接続ボードの第２の面までの１つ以上の開口部を含み、１つ以上の開口部が複数の熱電モジュールが相互接続ボードに取り付けられる位置を画定する相互接続ボードと、１つ以上の開口部により画定される位置にある相互接続ボードに取り付けられる複数の熱電モジュールであって、複数の熱電モジュールの各熱電モジュールが第１の側と第２の側とを有する複数の熱電モジュールとを含む。熱電ヒートポンプはまた、複数の熱電モジュールの各熱電モジュールの第１の側と熱接触するホット側ヒートスプレッダと、複数の熱電モジュールの各熱電モジュールの第２の側と熱接触するコールド側ヒートスプレッダとを含む。ホット側ヒートスプレッダの外面は、第１の開放側でＳＡＳ構造体の壁に機械的に接触し、コールド側ヒートスプレッダの外面は、第２の開放側でＳＡＳ構造体の壁に機械的に接触し、ヒートポンプに加えられる圧縮力は、ＳＡＳ構造体によって吸収される。
【００１５】
いくつかの実施形態では、熱電ヒートポンプはまた、ホット側ヒートスプレッダの外面がＳＡＳ構造体の壁に機械的に接触し、コールド側ヒートスプレッダの外面がＳＡＳ構造体の壁に機械的に接触する場所に配置された環境シールをさらに含む。
【００１６】
いくつかの実施形態では、ＳＡＳ構造体の壁の厚さは、ホット側ヒートスプレッダとコール側ヒートスプレッダとの間の熱的短絡が緩和され、一方で十分な強度をもたらし、ヒートポンプに適用される圧縮力の少なくとも所定の量に耐えるようにする。
【００１７】
当業者は、本開示の範囲を理解し、添付の図面に関連して以下の好ましい実施形態の詳細な説明を読んだ後にその追加の態様を実現するであろう。
【００１８】
本明細書に組み込まれ、本明細書の一部を形成する添付の図面は、本開示のいくつかの態様を示し、説明と共に、本開示の原理を説明する役割を果たす。
【図面の簡単な説明】
【００１９】
【図１Ａ】図１Ａは、本開示のいくつかの実施形態による、ファン組立体と、ファン組立体と一体化された能動的な熱ポンピングシステムとを含む微小気候制御システムの前面を示す。
【図１Ｂ】図１Ｂは、本開示のいくつかの実施形態による、図１Ａの微小気候制御システムの背面を示す。
【図２】図２は、本開示のいくつかの実施形態による、図１Ａ及び図１Ｂの微小気候制御システムの熱電システムを示す。
【図３】図３は、本開示のいくつかの実施形態による、図２の熱電システムを含む図１Ａ及び１Ｂの微小気候制御システムの拡大図を示す。
【発明を実施するための形態】
【００２０】
以下に記載される実施形態は、当業者が実施形態を実践することを可能にするために必要な情報を表し、実施形態を実践する最良の形態を示す。添付の図面に照らして以下の説明を読むと、当業者は本開示の概念を理解し、本明細書で特に対応しないこれらの概念の適用を認識するであろう。これらの概念及び適用は、本開示の範囲及び添付の特許請求の範囲に含まれることが理解されるべきである。
【００２１】
第１、第２などの用語は、本明細書で様々な要素を説明するために使用する場合があるが、これらの要素はこれらの用語によって限定されるべきではないことが理解されるであろう。これらの用語は、ある要素を別の要素と区別するためにのみ使用される。例えば、本開示の範囲から逸脱することなく、第１の要素は第２の要素と呼ぶことができ、同様に、第２の要素は第１の要素と呼ぶことができる。本明細書で使用される場合、「及び／または」という用語は、関連する列挙された項目の１つ以上の任意の及びすべての組み合わせを含む。
【００２２】
本明細書では、「ｂｅｌｏｗ（下方）」または「ａｂｏｖｅ（上方）」、または「ｕｐｐｅｒ（上側）」または「ｌｏｗｅｒ（下側）」、または「ｈｏｒｉｚｏｎｔａｌ（水平）」または「ｖｅｒｔｉｃａｌ（垂直）」などの相対的な用語は、図面に示すように、ある要素、層または領域と他の要素、層、または領域との関係を説明するために使用することができる。これらの用語及び上述の用語は、図面に描かれた方向付けに加えて、デバイスの様々な向きを包含することを意図していることが理解されよう。
【００２３】
本明細書で使用される用語は、特定の実施形態を説明するためだけのものであり、本開示を限定することを意図してはいない。本明細書で使用する場合、単数形「ａ」、「ａｎ」及び「ｔｈｅ」は、文脈上他に明白に示されていない限り、複数形も含むことが意図される。本明細書で使用するとき、「ｃｏｍｐｒｉｓｅｓ（備える）」、「ｃｏｍｐｒｉｓｉｎｇ（備える）」、「ｉｎｃｌｕｄｅｓ（含む）」及び／または「ｉｎｃｌｕｄｉｎｇ（含む）」という用語は、記載された特徴、整数、ステップ、動作、要素、及び／または構成要素の存在を特定するが、１つ以上の他の特徴、整数、ステップ、動作、要素、構成要素、及び／またはそれらの群の存在または追加を排除するものではないことがさらに理解される。
【００２４】
他に定義されない限り、本明細書で使用されるすべての用語（専門用語及び科学的な用語を含む）は、本開示が属する当技術分野の当業者が一般に理解するのと同じ意味を有する。本明細書で使用される用語は、本明細書及び関連技術の文脈における意味と一致する意味を有すると解釈されるべきであり、本明細書において明確に定義されない限り、理想化されたまたは過度に形式的な意味で解釈するものではない。
【００２５】
微小気候制御用の冷却ファンが本明細書において提供される。いくつかの実施形態では、微小気候制御システムは、ファン組立体と、ファン組立体と一体化された熱電システムとを含む。熱電システムは、空気がファン組立体を通るときに、能動的に冷却または加熱するように動作可能である。熱電システムは、熱電ヒートポンプと、徐熱サブシステムと、受熱サブシステムとを含む。ファン組立体は、調整空間から空気を引き込むように動作可能である。ファン組立体はまた、徐熱サブシステム及び受熱サブシステムのうちの１つを通った調整空気を調整空間に出し、徐熱サブシステム及び受熱サブシステムの他方を通った空気を調整空間から離れるように出すように動作可能である。このようにすると、小型のエンベロープを維持するシステムを用いて、調整空気を局所的な領域に供給することができる。微小気候制御システムは、さらに大きな気候制御システムがより効率的な温度設定点を維持できるようにしながら、局所的な快適性をもたらすことができる。このようにすると、全体的なエネルギーの消費を低減しつつ、同じレベルの効果的な快適性をもたらすことができる。
【００２６】
いくつかの実施形態では、このシステムを壁に垂直に取り付けて、局所的な調整空気を供給することができる。また、シュラウドの変更により、システムを天井に水平に取り付けることもできる。この設定は、排除される空気が溜まる可能性がある、天井上方の不使用の空間がある場合に、特に便利である。これらの実施形態で、システムは調整空気を部屋に供給することができる。
【００２７】
図１Ａ及び図１Ｂは、本開示のいくつかの実施形態による、熱電システム１２及びファン組立体１４を含むファン組立体１０の一例を示す。この例では、熱電システム１２は熱電冷却システムである。回転すると、ファン組立体１４は、中央ポートを介してファン組立体１０内に空気を引き込み、図示されているように、排除用ポートと調整空気用ポートの両方から空気を吹き出す。中央ポートを通って排除用ポートから出るよう流れる空気は、徐熱サブシステムを通る（図２の要素１８を参照）。中央ポートを通って排除用ポートから出るよう流れる空気は、受熱サブシステム（図２の要素２０を参照）を通り、調整空気用ポートから吹き出される空気が冷却される。
【００２８】
図２は、本開示のいくつかの実施形態による熱電システム１２をより詳細に示す。図示しているように、熱電システム１２は、熱電ヒートポンプ１６、徐熱サブシステム１８、及び受熱サブシステム２０を含む。熱電ヒートポンプ１６は、一般に、１つ以上の熱電モジュールを含む。熱電ヒートポンプ１６の一例は、２０１５年９月２２日に発行された「ＴＨＥＲＭＯＥＬＥＣＴＲＩＣ  ＨＥＡＴ  ＰＵＭＰ  ＷＩＴＨ  Ａ  ＳＵＲＲＯＵＮＤ  ＡＮＤ  ＳＰＡＣＥＲ  （ＳＡＳ）  ＳＴＲＵＣＴＵＲＥ」と題する米国特許第９，１４４，１８０  Ｂ２号に記載されており、その全体が参照により本明細書に組み込まれ、付録Ａとして本明細書に記載されている。米国特許第９，１４４，１８０  Ｂ２号の熱電ヒートポンプ１２は一例にすぎないことに留意されたい。任意の熱電ヒートポンプを使用することができる。
【００２９】
このようなヒートポンプの一例は、ＳＡＳ構造体を含む。ＳＡＳ構造体は、第１の開放側と第２の開放側を画定する壁を含む。ヒートポンプはまた、ＳＡＳ構造体内に囲まれた相互接続ボードを含む。相互接続ボードは、相互接続ボードの第１の面から相互接続ボードの第２の面までの開口部を含み、開口部は熱電モジュール（ＴＥＭ）が相互接続ボードに取り付けられる位置を画定する。ＴＥＭは、開口部によって画定された位置で相互接続ボードに取り付けられる。各熱電モジュールは、第１の側及び第２の側を有する。ヒートポンプは、さらに、各熱電モジュールの第１の側と熱接触するホット側ヒートスプレッダと、各熱電モジュールの第２の側と熱接触するコールド側ヒートスプレッダとを含む。ホット側ヒートスプレッダの外面は、第１の開放側でＳＡＳ構造体の壁に機械的に接触し、コールド側ヒートスプレッダの外面は、第２の開放側でＳＡＳ構造体の壁に機械的に接触する。ヒートポンプに加えられる圧縮力は、ＳＡＳ構造体によって吸収され、そのため、ＴＥＭは、圧縮力から保護される。
【００３０】
熱電システムは、微小気候制御用のファンへ統合するのに十分に適している。いくつかの利点には、小型フォームファクターと、加熱と冷却の両方を行えることが含まれる。いくつかの実施形態では、微小気候制御システムは、熱電システムのホット側及びコールド側用の別個の熱交換器を有する。各熱交換器の気流は調整されている空間から来る。システムから出たものが、空間に導かれる調整空気となり、排除される空気は空間から離れるように導かれる。
【００３１】
図２に戻ると、徐熱サブシステム１８は、この例では、複数の熱サイホン２６を介してフィン構造体２４に熱で結合された熱交換器２２を含む。熱サイホン２６は、冷媒を含み、（熱交換器２２を介して）熱電ヒートポンプ１６のホット側と、フィン構造体２４を横切るように吹く空気との間で二相の熱交換を行う。特に、冷媒は熱交換器２２で蒸発する。蒸発する冷媒は、浮力を介して熱サイホン２６を経て流れる。フィン構造体２４は、熱サイホン２６の蒸発する冷媒と空気との間の熱交換をもたらして、冷媒が凝縮され、空気が加熱されるようにする。加熱された空気は、ファン組立体１０の排除用ポートから吹き出され（図１Ａを参照）、凝縮された冷媒は、熱電ヒートポンプ１６の第１の側を冷却し、熱を排除するように動作する重力を介して熱交換器２２に戻る。
【００３２】
受熱サブシステム２０は、この例では、複数の熱サイホン３２を介してフィン構造体３０に熱的に結合された熱交換器２８を含む。熱サイホン３２は、冷媒を含み、（熱交換器２８を介して）熱電ヒートポンプ１６のコールド側と、フィン構造体３０を横切るように吹く空気との間で二相の熱交換をもたらす。特に、冷媒は熱交換器２８において凝縮される。凝縮した冷媒は、重力によって熱サイホン３２を流れる。フィン構造体３０は、熱サイホン３２の凝縮した冷媒と空気との間の熱交換をもたらして、冷媒が蒸発して、空気が冷却されるようにする。冷却された空気は、ファン組立体１０の調整空気用ポートら吹き出され（図１Ａを参照）、蒸発した冷媒は、浮力によって熱交換器２８に戻る。
【００３３】
いくつかの実施形態では、微小気候制御システムは、半径方向熱交換器のセットを含む。微小気候制御システムの中心にある遠心ファンが空気を熱交換器に引き込む。シュラウドは、熱交換器の周りに配置され、調整気流と排除される気流を互いに分離し、各々の気流を導く。
【００３４】
図３は、図２の熱電システム１２を含む、図１Ａ及び図１Ｂのファン組立体１０の拡大図である。図示のように、ファン組立体１０は、この例では、ファン組立体１０のハウジングを形成する上側ハウジング部分３４、ブラケット３６、及び下側ハウジング部分３８を含む。熱電システム１２及びファン組立体１４は、ハウジング内に固定される。いくつかの実施形態では、ファン組立体１４は、微小気候制御システムによって冷却または加熱される人のいる空間から回転ディスクの中央領域に空気を引き込む水平インペラとして動作する複数の回転ディスクを含むインペラベースのファン組立体を含み、次いで回転するディスクから半径方向外側に空気を推進する。能動的な熱ポンピングシステムは、空気が回転ディスクの中央領域に引き込まれるときに、空気を冷却または加熱するように動作可能である。いくつかの実施形態では、回転ディスクの外縁部は、回転ディスクから半径方向外向きに推進される空気を誘導するように構成されている。
【００３５】
当業者は、本開示の好ましい実施形態の改善及び修正を認識するであろう。そのような改良及び修正はすべて、本明細書及び添付の特許請求の範囲に開示された概念の範囲内であるとみなされる。
【図１Ａ】
2019523856.tif 000003
【図１Ｂ】
2019523856.tif 000004
【図２】
2019523856.tif 000005
【図３】
2019523856.tif 000006
【国際調査報告】
2019523856.tif 000007
2019523856.tif 000008
2019523856.tif 000009